(57)【特許請求の範囲】
【請求項１】
自動車の後部に設けられ任意の表示体を少なくとも上下左右及びその中間の方向に駆動する駆動部と、
上記表示体の駆動を指示する駆動指示部とからなり、
上記自動車のハンドルの近傍に設けられる上記駆動指示部からの駆動指示信号を有線または無線を介して上記駆動部に伝達する
ことを特徴とする自動車用表示器。
【請求項２】
請求項１記載の自動車用表示器において、
上記駆動部は、任意の支点を有し一端に上記表示体の設けられた支持棒と、この支持棒の周囲の少なくとも上下左右に相当する位置に設けられ上記駆動指示信号によって制御される駆動手段とを有する
ことを特徴とする自動車用表示器。
【請求項３】
請求項１記載の自動車用表示器において、
上記駆動指示部は、少なくとも上下左右の操作入力を検出する検出手段と、この検出手段の出力を所定の上記駆動指示信号に変換する変換手段とを有する
ことを特徴とする自動車用表示器。
【発明の詳細な説明】
【０００１】
【発明の属する技術分野】
本発明は、例えば他の自動車とのコミュニケーションに使用して好適な自動車用表示器に関するものである。
【０００２】
【従来の技術】
例えば自動車の運転中に、追越しや車線変更などを行った場合には、後続の自動車に不快感を与えることが心配されるものである。そこで従来から、手のひら状に切り抜かれた板体をバネ材を介して後部窓等に取り付け、追越しや車線変更などによって自動車が左右揺れたときにその振動によって手のひら状の板体が左右に揺れ、手を振っているような表示を行う装置が提案されている。
【０００３】
しかしながらこの装置では、板体の左右の揺れはバネ材によって与えられた振動のみが行われるものであり、単調なものである。このため見る者によっては、人間性が欠如している印象を与え、却って不快感を増長させる恐れのあることが指摘されているものである。
【０００４】
また、例えば後部窓に電光掲示板を設け、任意のメッセージ文等を表示することも行われている。しかしこの方法では、後続の自動車の運転者は文字を読むために注意が向いて運転に支障を来す恐れがある。また文字による表示では瞬時の把握が困難であり、遠方からの判読も困難になる。さらに表示言語の判らない人には意味がない、等の問題が生じるものである。
【０００５】
【発明が解決しようとする課題】
この出願はこのような点に鑑みて成されたものであって、解決しようとする問題点は、従来の装置では、示そうとするメッセージを明瞭且つ良好に表示することができず、却って不快感を増長させる恐れもあったというものである。
【０００６】
【課題を解決するための手段】
このため本発明においては、自動車の後部に任意の例えば動物の尾を模した表示体を設け、この表示体を少なくとも上下左右及びその中間の方向に駆動するようにしたものであって、これによれば、誰にでも理解できるメッセージを明瞭に表示することができる。
【０００７】
【発明の実施の形態】
すなわち本発明においては、自動車の後部に設けられ任意の表示体を少なくとも上下左右及びその中間の方向に駆動する駆動部と、表示体の駆動を指示する駆動指示手段とからなり、自動車のハンドルの近傍に設けられる駆動指示手段からの駆動指示信号を有線または無線を介して駆動部に伝達してなるものである。
【０００８】
以下、図面を参照して本発明を説明するに、図１は本発明を適用した自動車用表示器の一例を示す駆動部１０の構成図である。この図１において、Ａは駆動部１０の正面図、Ｂは側面図を示す。そしてこの駆動部１０には、支持棒１と、この支持棒１を任意の点で支える支点２とが設けられ、さらにこの支持棒１の一端に表示体３が設けられる。またこの表示体３にはランプ４が内蔵されている。これによって駆動部１０の全体は、任意の例えば動物の尾を模した形状とされる。
【０００９】
さらに支持棒１の他端にはスプリング５及びカウンターウエイト６が設けられる。それと共に、このカウンターウエイト６と支点２と間で、支持棒１の周囲の少なくとも上下左右に相当する位置に、駆動手段としての４個のソレノイド７ａ、７ｂ、７ｃ、７ｄが設けられる。また、これらの支点２、スプリング５、カウンターウエイト６及びソレノイド７ａ〜７ｄを覆うカバー８が設けられる。
【００１０】
そしてこれらのソレノイド７ａ〜７ｄが後述する駆動指示信号によって駆動されることによって、支持棒１の一端に設けられた表示体３が例えば上下左右及びその中間の方向に任意に駆動される。さらにこの駆動部１０の全体が、例えば上述のカバー８に設けられた強力な磁石９によって、自動車の後部トランクあるいはルーフ等の鉄板２０の上に設置される。
【００１１】
また、例えば図２に示すように、自動車の運転席のハンドル１１の近傍に駆動指示部１２が設けられる。この駆動指示部１２には、いわゆるジョイスティック等の、例えば図示の矢印のような上下左右及びその中間の方向の操作入力を検出する検出手段（図示せず）が設けられ、例えば運転者がハンドル１１を握ったまま左手の親指等でこの駆動指示部１２を操作することができるものである。
【００１２】
そして図３は、この駆動指示部１２からの駆動指示信号の伝達手段を示す。すなわちこの図３において、駆動指示部１２には例えば図示のような上下左右及びその中間の方向の操作入力（矢印）に対して、例えば上下左右の位置にマイクロスイッチ１３ａ、１３ｂ、１３ｃ、１３ｄが設けられる。
【００１３】
これによって、例えば駆動指示部１２が上下左右に操作されたときはスイッチ１３ａ〜１３ｄがオンされる。またその中間の方向に操作されたときには、それぞれその両側のスイッチ１３ａ〜１３ｄがオンされて、それぞれの方向の操作入力が検出されるものである。
【００１４】
さらにこれらのスイッチ１３ａ〜１３ｄからの信号が変換回路１４に供給されて所定の駆動指示信号に変換される。この変換された駆動指示信号が有線または無線の送信機１５を通じて駆動部１０に設けられる受信機１６に伝達される。そして駆動部１０では、この受信機１６からの信号が逆変換回路１７に供給され、逆変換回路１７からの信号がそれぞれソレノイド７ａ〜７ｄに供給される。
【００１５】
そしてこの装置において、駆動指示部１２が上下左右及びその中間の方向に操作されると、その操作入力が駆動指示信号に変換され、駆動部１０に伝達されてソレノイド７ａ〜７ｄが駆動される。これによって駆動部１０の支持棒１及び表示体３を、駆動指示部１２の操作に従って上下左右及びその中間の方向に任意に駆動することができるものである。
【００１６】
そこでこの装置において、例えば表示体３を上下に振ることによって、運転者の感謝の気持ちを表現することができる。また、表示体３を左右に振ることによって、運転者の惜別の気持ちを表現することができる。さらに表示体３を下向きに固定することによって、運転者の謝罪の気持ちを表現することができる。
【００１７】
あるいは表示体３を上向きに固定することによって、運転者の了解を求める気持ちを表現することができる。さらに表示体３を上向きで大きく振ることによって、運転者の大きな感謝の気持ちを表現することができる。このようにして表示体３の動きによって、運転者の各種の気持ちを表現することができる。
【００１８】
すなわちこのような表示体３の動きは、運転者等によって意思を持って駆動されていることが明白なものである。また上述の動きは感覚的に理解し易いものである。そしてこのような表示体３の動きによって運転者の各種の気持ちを表現することで、運転者間のコミュニケーションを成立できるものである。
【００１９】
従ってこの装置において、自動車の後部に任意の例えば動物の尾を模した表示体を設け、この表示体を少なくとも上下左右及びその中間の方向に駆動することによって、誰にでも理解できるメッセージを明瞭に表示することができる。
【００２０】
これによって、従来の装置では、示そうとするメッセージを明瞭且つ良好に表示することができず、却って不快感を増長させる恐れもあったものを、本発明によれば、メッセージを明瞭に表示することができ、後続の自動車等に不快感を与える恐れを解消することができるものである。
【００２１】
なお上述の装置において、駆動部１０のソレノイド７ａ〜７ｄによって行われる支持棒１の駆動は、例えばモーターを用いてアナログ的に行うこともできる。また、駆動指示部１２には既製のジョイスティック装置等を用いて、その出力信号を上述の駆動指示信号に変換することもできる。
【００２２】
さらに、送信機１５、受信機１６間の駆動指示信号の伝達は、無線または有線で行うことができる。またこの伝達には、アナログ方式あるいはデジタル方式の信号を用いて行うことが可能である。
【００２３】
こうして上述の自動車用表示器によれば、自動車の後部に設けられ任意の表示体を少なくとも上下左右及びその中間の方向に駆動する駆動部と、表示体の駆動を指示する駆動指示手段とからなり、自動車のハンドルの近傍に設けられる駆動指示手段からの駆動指示信号を有線または無線を介して駆動部に伝達することにより、メッセージを明瞭に表示することができ、後続の自動車等に不快感を与える恐れを解消することができるものである。
【００２４】
【発明の効果】
この発明によれば、自動車の後部に任意の例えば動物の尾を模した表示体を設け、この表示体を少なくとも上下左右及びその中間の方向に駆動することによって、誰にでも理解できるメッセージを明瞭に表示することができるようになった。
【００２５】
これによって、従来の装置では、示そうとするメッセージを明瞭且つ良好に表示することができず、却って不快感を増長させる恐れもあったものを、本発明によれば、メッセージを明瞭に表示することができ、後続の自動車等に不快感を与える恐れを解消することができるものである。
【図面の簡単な説明】
【図１】本発明の適用される自動車用表示器の駆動部の一例の構成図である。
【図２】その駆動指示部の説明のための図である。
【図３】その駆動指示信号の伝達手段を示す回路図である。
【符号の説明】
１０  駆動部、１  支持棒、２  支点、３  表示体、４  ランプ、５  スプリング、６  カウンターウエイト、７ａ，７ｂ，７ｃ，７ｄ  ソレノイド、８  カバー、９  磁石、２０  鉄板、１１  ハンドル、１２  駆動指示部、１３ａ，１３ｂ，１３ｃ，１３ｄ  マイクロスイッチ、１４  変換回路、１５  送信機、１６  受信機、１７  逆変換回路
【図１】
0003871385.tif 000002
【図２】
0003871385.tif 000003
【図３】
0003871385.tif 000004